(57)【要約】【課題】  親や介護者が、吸収性物品の最適な交換時期を認識できるようにする吸収性物品を提供する。【解決手段】  液体不透過性バックシート１と、液体不透過性バックシート１に結合した液体透過性トップシート２と、液体不透過性バックシート１とトップシート２の間に位置する通気性を有する液体保持性の吸収体３と、吸収体３の液体不透過性バックシート１側に、悪臭を有する香料成分を芯材とし、かつ、排泄物と接触すると前記香料成分が流出する水溶性マイクロカプセル４とを備えていることを特徴とする吸収性物品１０により、上記課題を解決することができた。【選択図】      図２
2016214557.tif 000002
【特許請求の範囲】
【請求項１】
液体不透過性バックシートと、
前記液体不透過性バックシートに結合した液体透過性トップシートと、
前記液体不透過性バックシートと前記液体透過性トップシートの間に位置する通気性を有する液体保持性の吸収体と、
前記吸収体の前記液体不透過性バックシート側に、悪臭を有する香料成分を芯材とし、かつ、排泄物と接触すると前記香料成分が流出する水溶性マイクロカプセルとを備えていることを特徴とする吸収性物品。
【発明の詳細な説明】
【技術分野】
【０００１】
本発明は、吸収性物品に関し、更に詳しくは、発生する臭いで着用者の排泄を知らせることができる吸収性物品に関する。
【背景技術】
【０００２】
従来より、幼児、老人等の着用者からの液体の排泄物を透過させる着用者に接するトップシートと、排泄物が漏れるのを防ぐバックシートと、これら両シート間に介在する、着用者から排泄物を封じ込めるための吸収体とを具備する紙オムツ等の吸収性物品が、知られている。
しかし、排泄物が長時間、皮膚に接触した状態で放置されると、皮膚かぶれを発生することがある。
したがって、介護者が、吸収性物品の交換時期を正確に認識できるようにすることが必要である。
【０００３】
例えば、特許文献１には、水分に触れるとニオイを発生するニオイ剤を、水分に接触可能に支持してなるニオイ発生用品が提案されている。
【先行技術文献】
【特許文献】
【０００４】
【特許文献１】特開２０００−９３４５６号公報
【発明の概要】
【発明が解決しようとする課題】
【０００５】
しかしながら、従来の吸収性物品では、排泄を知らせることができるものの、未だ交換時期でない少量の排泄物の放出であってもニオイを発生してしまう場合があり、最適な交換時期を知らせるためには、まだ改善の余地があった。
本発明は、このような事情に鑑み、親や介護者が、吸収性物品の最適な交換時期を認識できるようにする吸収性物品を提供することを目的とする。
【課題を解決するための手段】
【０００６】
上記目的は以下の本発明によって達成される。即ち、本発明の吸収性物品は、液体不透過性バックシートと、前記液体不透過性バックシートに結合した液体透過性トップシートと、前記液体不透過性バックシートと前記液体透過性トップシートの間に位置する通気性を有する液体保持性の吸収体と、
前記吸収体の前記液体不透過性バックシート側に、悪臭を有する香料成分を芯材とし、かつ、排泄物と接触すると前記香料成分が流出する水溶性マイクロカプセルとを備えていることを特徴とする。
【発明の効果】
【０００７】
本発明によれば、親や介護者が、吸収性物品の最適な交換時期を認識できるようになる吸収性物品を提供する。
【図面の簡単な説明】
【０００８】
【図１】本発明による実施形態の吸収性物品の平面図である。
【図２】図１のＸ−Ｘ断面図である。
【発明を実施するための形態】
【０００９】
次に、本発明に係る吸収性物品の実施形態について、図面を参照しながら説明する。なお、本明細書に添付する図面においては、図示と理解のしやすさの便宜上、適宜縮尺及び縦横の寸法比等を、実物のそれらから変更し誇張してある。
【００１０】
〔実施形態〕
図１及び図２を参照して、本発明の実施形態に係る吸収性物品について説明する。図１は、本発明による実施形態の吸収性物品の平面図である。図２は、図１のＸ−Ｘ断面図である。
【００１１】
（吸収性物品）
本実施形態の吸収性物品１０は、例えば、紙オムツ、失禁パッド、生理用ナプキン等である。吸収性物品１０は、排泄物が漏れるのを防ぐ液体不透過性バックシート１と、着用者からの液体の排泄物を透過させる着用者に接する液体透過性トップシート２とを具備している。
また、本実施形態の吸収性物品１０は、腹側の左右両側縁部と背側の左右両側縁部とが接合される。また、胴周りと脚周りとにそれぞれ弾性部材１１が接合されている。
【００１２】
本実施形態の吸収性物品１０は、図２に示すように、バックシート１とトップシート２との間に通気性を有する液体保持性の吸収体３を備えている。
また、吸収体３のバックシート１側に、悪臭を有する香料成分を芯材とし、かつ、排泄物と接触すると初めて前記香料成分が流出する水溶性マイクロカプセル４が、配置されている。
そのため、本実施形態の吸収性物品１０は、吸収体３の最もバックシート１側に水溶性マイクロカプセル４が配置されている。このため、尿などの水分が、吸収体３の内部に浸透し、バックシート１側に配置された水溶性マイクロカプセル４に達すると、初めて悪臭を発生するので、この臭いによって、親や介護者が、排尿等が起こったことを認識し、吸収性物品の最適な時期に交換することができる。
悪臭を発生させる時期は、吸収体３と吸収体３に配置された水溶性マイクロカプセル４との距離により調整することができる。例えば、水溶性マイクロカプセル４を吸収体３のバックシート１に最も近い側に配置することで、悪臭が発生する時期を最も遅くすることができる。
【００１３】
（バックシート）
次に、バックシート１について具体的に説明する。
本実施形態において、バックシート１は、排泄物が漏れるのを防ぐために、疎水性又は撥水性を有することが好ましい。
バックシート１の材料は、ポリエチレン、ポリプロピレン等を主体としたフィルム、通気性の樹脂フィルム、スパンボンド等の不織布に通気性の樹脂フィルムが接合されたシートなどを使用することができる。
【００１４】
（トップシート）
次に、トップシート２について具体的に説明する。
本実施形態において、トップシート２は、不織布である。トップシート２の素材は、織布、有孔プラスチックシート等、液体を透過する構造のシート状の材料であれば、特に限定されない。織布や不織布の素材としては、天然繊維、化学繊維のいずれも使用できる。
天然繊維としては、粉砕パルプ、コットン等のセルロースが挙げられる。
化学繊維としては、レーヨン等の再生セルロース、アセテート、トリアセテート等の半合成セルロース、ポリエチレン、ポリプロピレン、ポリエチレンテレフタレート等の熱可塑性疎水性化学繊維、又は親水化処理を施した熱可塑性疎水性化学繊維などが挙げられる。
バックシート１とトップシート２は、同じ形状になっており、前後端縁および両側縁において接合されている。接合方法は、特に限定されないが、例えば、ヒートシール、超音波シール、ホットメルト接着等が挙げられる。
【００１５】
（吸収体）
次に、吸収体３について具体的に説明する。
吸収体３は、バックシート１とトップシート２の間に位置する。そして、本実施形態において、吸収体３は、着用者の身体から排泄された様々な排泄物を吸収するものであり、親水性繊維、パルプを含む。
親水性繊維は、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、又は、親水化処理を施した熱可塑性疎水性化学繊維等を単独又は混合して用いることができる。
【００１６】
（水溶性マイクロカプセル）
次に、水溶性マイクロカプセル４について具体的に説明する。
本実施形態において、水溶性マイクロカプセル４は、尿等の排泄物と接触すると悪臭成分等の芯材が流出する性質を有する。例えば、水溶性マイクロカプセル４は、排泄物中の水分を吸収すると壁材が壊れるか、壁材の一部が溶出し、悪臭成分等の芯材が流出される。
水溶性マイクロカプセルの壁材としては、例えば、ゼラチン、寒天、天然ゲル化剤、グリセリンなどが挙げられる。
水溶性マイクロカプセルの大きさは、着用者の異物感防止の観点から、通常５０μｍ〜１ｍｍが好ましく、５０μｍ〜２００μｍが更に好ましい。
水溶性マイクロカプセルの付与は、吸収体３に対する塗布によって行うことができる。
吸収体３における水溶性マイクロカプセルの含有量は、悪臭の香料成分を効果的に発揮するために、５質量％〜８０質量％程度が好ましく、２０質量％〜６０質量％であることがより好ましい。
【００１７】
（香料成分）
次に、香料成分は、親や介護者が、吸収性物品の交換時期を正確に認識することができる程度の香料成分である必要がある。例えば、スカトール、アンモニア、インドール、メルカプタン等が悪臭を有する香料成分として挙げられる。
【符号の説明】
【００１８】
１      液体不透過性バックシート
２      液体透過性トップシート
３      吸収体
４      水溶性マイクロカプセル
１０      吸収性物品
１１      弾性部材
【図１】
2016214557.tif 000003
【図２】
2016214557.tif 000004